【事件の表示】
　平成　５年特許願第２０５７８０号「カラオケ装置におけるバックコーラス再生装置」拒絶査定に対する審判事件〔平成　７年　３月１７日出願公開、特開平　７−　７２８７９、請求項の数（６）〕について、次のとおり審決する。
【結　論】
　原査定を取り消す。
　本願の発明は、特許すべきものとする。
【理　由】
第１　【手続きの経緯、本願発明】
　本願は、平成５年７月２７日の出願であって、その請求項１ないし６に係る発明は、平成１１年４月１５日、平成１４年４月２６日、及び平成１４年７月１９日付け手続補正書により補正された明細書及び図面の記載からみて、その特許請求の範囲の請求項１ないし６に記載された次のとおりのものである。
「【請求項１】
　ヘッダ情報と歌詞情報と音楽情報とからなる楽曲情報を記憶する記憶手段と、
　所望の楽曲を指示する入力手段と、
　指示された楽曲情報を記憶手段から読み出し、この楽曲情報を音楽情報と歌詞情報とヘッダ情報とに解析し、内蔵タイマによって同期を取りながらヘッダ情報に従って各情報を並列処理する主制御手段と、
　音楽情報のうちの電子音データに従って電子音源を制御して楽曲を再生出力させる電子音再生手段と、
　音楽情報のうちの人声をコード符号化してなるバックコーラスデータに従ってバックコーラスを再生出力させる音声制御手段と、
　歌詞情報に従って歌詞映像を再生出力させる歌詞表示制御手段とを有し、
　前記主制御手段は、電子音再生手段に楽曲を再生出力させると共に、ヘッダ情報の制御データに基づいて歌詞表示やバックコーラスの再生に関する処理別のＩＤが設定されたデータ処理種別とそれらの処理タイミングの時間間隔を読み出し、データ処理種別に応じて音声制御手段、歌詞表示制御手段に対してこれらの処理が楽曲の再生に同期するように時間間隔に従ったタイミングで処理コマンドを出力する
ことを特徴とするカラオケ装置におけるバックコーラス再生装置。
【請求項２】
　主制御手段は、バックコーラスデータをブロック毎に区分したテイクデータのうち繰り返し使用するテイクデータを音声制御手段へ転送することを特徴とする請求項１記載のカラオケ装置におけるバックコーラス再生装置。
【請求項３】
　主制御手段は、入力手段によって指示された音階の度合い値を受け、電子音再生手段および音声制御手段に音階変更指示と共にこの度合い値を送出し、電子音データとバックコーラスデータとを同期させながら音階変更することを特徴とする請求項１記載のカラオケ装置におけるバックコーラス再生装置。
【請求項４】　
　所望の楽曲を指示するステップと、
　ヘッダ情報と歌詞情報と音楽情報とを有する楽曲情報のうち前記指示された楽曲情報を読み出し、この楽曲情報を音楽情報と歌詞情報とヘッダ情報とに解析し、内蔵タイマによって同期を取りながらヘッダ情報に従って各情報を並列処理するステップと、
　音楽情報のうちの電子音データに従って電子音源を制御して楽曲を再生出力させるステップと、
　音楽情報のうちの人声をコード符号化してなるバックコーラスデータに従ってバックコーラスを再生出力させるステップと、
　歌詞情報に従って歌詞映像を再生出力させるステップとを有し、
　前記楽曲を再生出力させるステップは、電子音再生手段に楽曲を再生出力させると共に、ヘッダ情報の制御データに基づいて歌詞表示やバックコーラスの再生に関する処理別のＩＤが設定されたデータ処理種別とそれらの処理タイミングの時間間隔を読み出し、データ処理種別に応じてバックコーラスの再生出力及び歌詞映像の再生出力が楽曲の再生に同期するように時間間隔に従ったタイミングで処理コマンドを出力することを特徴とするカラオケ装置におけるバックコーラス再生方法。
【請求項５】
　バックコーラスの再生出力ステップは、バックコーラスデータをブロック毎に区分したテイクデータのうち繰り返し使用するテイクデータに基づいて行うことを特徴とする請求項４記載のカラオケ装置におけるバックコーラス再生方法。
【請求項６】
　楽曲の再生出力ステップ及びバックコーラスの再生出力ステップは、音階変更指示と音階の度合い値に基づいて、電子音データとバックコーラスデータとを同期させながら音階変更することを特徴とする請求項４記載のカラオケ装置におけるバックコーラス再生方法。」
　　　　　　　　　　　　
第２　【引用例】
　１　これに対して、原審の拒絶理由で引用された特開平４−３２１１００号公報（以下「引用例１」という。）には、「バックコーラス合成装置」（発明の名称）に関し、図面と共に次の（１）ないし（４）のとおりの記載がある。
（１）「ＭＩＤＩ規格で構成した音楽データを入力し、この音楽データにより音楽を再生する音楽再生手段と、１曲の音楽データに対応して演奏されたバックコーラスを適宜に分割、整理して得た複数のコーラスパターンをそれぞれデータ化して記憶した記憶手段と、再生しようとする音楽データの情報を入力し、記憶手段から当該音楽データに対応した１曲分の全コーラスパターンのデータを読み出すコーラスデータ読み出し手段と、コーラスデータ読み出し手段の出力を受け、音楽データの再生に同期して逐次コーラスパターンを選んで音楽に合成するコーラスデータ合成手段とを備えたことを特徴とするバックコーラス合成装置。」（特許請求の範囲）
（２）「上記の構成により、音楽再生手段２０により、ＭＩＤＩ規格の音楽データから音楽が再生される。またコーラスデータ読み出し手段４０により、記憶手段３０から、再生しようとする音楽データに対応したバックコーラスが読み出され、コーラスデータ合成手段５０により、音楽データの再生に同期してバックコーラスが音楽に合成される。このことによりＭＩＤＩ規格の音楽データにより独創的な音づくりが可能になると共に、バックコーラスについてはＭＩＤＩ規格によらずに人間の肉声から得たデータで再生され、自然なバックコーラスが得られる。」（公報２頁右欄１２行ないし２２行）
（３）「図２は実施例のバックコーラス合成装置を示す。１１は主記憶装置であって、多数の音楽データが、曲ごとに記憶されている。この音楽データはＭＩＤＩ規格により構成されている。音楽データには、バックコーラスに関する制御データが適宜に挿入されている。１２は主読み出し装置であって、主記憶装置１１から音楽データおよび制御データを曲単位で読み出すものである。１３はＭＩＤＩ規格に対応するデコーダーであって、音楽データおよび制御データのみをデコードする。２０は音楽再生手段であって、デコーダー１３からの音楽データに基づいてアナログ信号を構成するものである。
【００１１】一方、３０は記憶手段であって、音楽データに対応して演奏されたバックコーラスをデータ化して記憶している。」（公報２頁右欄３７行ないし３頁左欄１行）
（４）「上記音楽データと制御データとの関係を、図３に基づいて概念的に説明する。同図に示すように、制御データは、ＩＤとしてのバックコーラス選択信号から始まり、曲の進行と共にコーラスパターンが現れる順番にコーラスナンバーが順次出てくる。各コーラスパターンの再生を開始すべき位置にはコーラス開始信号Ｓがある。」（公報３頁左欄１４行ないし２０行）
　２　同じく引用された特開平５−４６０７２号公報（以下「引用例２」という。）には、「記録情報再生装置」（発明の名称）に関し、図面と共に次の（１）なしい（３）のとおりの記載がある。
（１）「エンコードされた音楽情報と、制御情報とがＭＩＤＩ規格により記録された情報記録媒体から音を再生する記録情報再生装置であって、
　前記音楽情報をデコードして再生音楽情報を出力する音楽情報再生手段と、
　前記制御情報をデコードしてタイミング制御用のクロック信号を出力する制御情報再生手段と、
　前記クロック信号に基づき、前記再生音楽情報を一時蓄積して出力するデータ蓄積手段と、
　を備えたことを特徴とする記録情報再生装置。」（特許請求の範囲）
（２）「上記構成を有する本発明によれば、ＭＩＤＩ規格のサブコード情報のうちのタイミング制御用のクロック信号を利用し蓄積手段１０３によりデータを一時蓄積することにより、曲のテンポ等にかかわらず歌詞のの正確な位置で反復演奏等が行えるためにカラオケの練習が容易となる。」（公報２頁右欄４２行ないし４７行）
（３）「このＭＩＤＩカラオケファイルフォーマットＫＦは、シーケンスファイルＳＦと早見表ファイルＩＦに大別される。シーケンスファイルＳＦは、カラオケ演奏時に必要なファイルであり、ノートファイルＮＦと歌詞ファイルＬＦとＰＣＭファイルＰＦとを有している。」（公報３頁右欄４３行ないし４８行）
　３　同じく引用された特開平４−２３８３９２号公報（以下「引用例３」という。）には、「音楽再生装置」（発明の名称）に関し、図面と共に次の（１）、（２）のとおりの記載がある。
（１）「入力手段によって曲再生のテンポが設定されると、制御手段は、記憶手段から演奏データを読み出し、再生のテンポに従って曲再生手段へ演奏データを転送し、音声に再生する。さらに、バックコーラスデータを記憶手段から読み出し、復号手段へ転送する。転送されたバックコーラスデータは復号タイミングのクロックに基づいて復号され、さらにアナログ化されてバックコーラス音声信号に変換される。バックコーラス音声信号は音程変換手段により、音声信号のキー変化を標準テンポで再生したときと同じキーになるように調整され、演奏データによる音声信号と同期をとって再生される。」（公報２頁右欄２１行ないし３２行）
（２）「演奏データは、その一曲分が曲毎に設定された曲番号データ（ＮＤ）と複数の演奏データ（ＥＤ）とで構成されている。サンプリングデータは、その一曲分が曲毎に設定された曲番号データ（ＮＤ）と複数のサンプリングデータ（ＳＤ）とで構成されている。曲番号データ（ＮＤ）は、曲の開始位置も示している。また、複数の演奏データ（ＥＤ）と複数のサンプリングデータ（ＳＤ）とは、対を成した構造となっている。」（公報２頁欄３９行ないし４７行）　　　　　　　　
　　　　　　　　　　　　　　　　　　　　　
第３　【当審の判断】
　１　［請求項１について］
（１）引用例１には、音楽データの再生に同期して逐次コーラスパターンを選んで音楽に合成するコーラスデータ合成手段を備え、ＭＩＤＩ規格の音楽データにより独創的な音づくりが可能になると共に、バックコーラスについてはＭＩＤＩ規格によらずに人間の肉声から得たデータで再生され、自然なバックコーラスを得ることが記載されており、その音楽データには、バックコーラスに関する制御データが適宜に挿入されており、制御データは、ＩＤとしてのバックコーラス選択信号から始まり、曲の進行と共にコーラスパターンが現れる順番にコーラスナンバーが順次出てくるものであり、各コーラスパターンの再生を開始すべき位置にはコーラス開始信号Ｓを有することが記載されている。
　しかしながら、引用例１には、本願の請求項１に係る発明のように、音楽情報とは別のヘッダ情報に歌詞表示やバックコーラスの再生に関する処理別のＩＤを設定したデータ処理種別とそれらの処理タイミングの時間間隔を示す制御データが含まれ、楽音再生時に、このヘッダ情報に含まれる制御データを通じて各データが互いにタイミングをとることができ、歌詞やバックコーラスが完全に同期して楽曲再生できることについては何も記載がなく、示唆もない。すなわち、引用例１には、本願の請求項１に係る発明の主要な事項である「楽曲情報を音楽情報と歌詞情報とヘッダ情報とに解析し、内蔵タイマによって同期を取りながらヘッダ情報に従って各情報を並列処理する主制御手段」を有し、「前記主制御手段」は、「ヘッダ情報の制御データに基づいて歌詞表示やバックコーラスの再生に関する処理別のＩＤが設定されたデータ処理種別とそれらの処理タイミングの時間間隔を読み出し、データ処理種別に応じて音声制御手段、歌詞表示制御手段に対してこれらの処理が楽曲の再生に同期するように時間間隔に従ったタイミングで処理コマンドを出力する」点の構成（以下「構成Ａ」という。）については何も記載がなく、示唆もない。
（２）引用例２には、ＭＩＤＩカラオケファイルに歌詞ファイルを含み、ＭＩＤＩ規格のサブコード情報のうちのタイミング制御用のクロック信号を利用し蓄積手段１０３によりデータを一時蓄積することにより、曲のテンポ等にかかわらず歌詞の正確な位置で反復演奏等が行える記録再生装置が記載されており、また引用例３には、音楽再生装置において、バックコーラス音声信号が音程変換手段により、音声信号のキー変化を標準テンポで再生したときと同じキーになるように調整され、演奏データによる音声信号と同期をとって再生されることは記載されているが、それら引用例２、３のいずれにも本願の請求項１に係る発明の上記構成Ａについては何も記載がなく、示唆もない。
（３）そして、本願の請求項１に係る発明は、上記構成Ａを採用することによって「カラオケ装置において楽曲情報を電子音データとバックコーラスデータとに分離し、電子音データがＭＩＤＩ規格に準拠したデータであることに対し、バックコーラスデータは人声音の音声信号をＰＣＭ化したデータを取り扱うようにしているため、それぞれの特徴を活かした音楽演奏を可能とする。また、ヘッダ情報、歌詞情報および音楽情報とが１つの楽曲に収容され、かつその楽曲再生時にヘッダ情報内の制御データを通じて歌詞情報及びおよび音楽情報の各データに対し互いにタイミングを取るようにしているため、音楽再生および歌詞情報にずれが生じることなく、ＭＩＤＩ規格に従った電子音データは創造的な音づくりができる上、人声によるバックコーラスをこの電子音データにずれることなく合成することができるので高品質のカラオケ再生装置を提供することができた。」（明細書の【発明の効果】欄の記載）等の明細書記載の顕著な効果を奏するものと認められる。
　よって、本願の請求項１に係る発明は、上記各引用例に記載の発明から容易になし得たものとすることはできない。
　２　［請求項２、３について］
　本願の請求項２、３に係る発明は、請求項１を引用してさらに限定事項を付加するものであり、上記１と同様の理由で、上記各引用例に記載の発明から容易になし得たものとすることはできない。
　３　［請求項４ないし６について］
　本願の請求項４ないし６に係る発明は、請求項１ないし３に係る再生装置を、再生方法として表現したものであり、上記１、２と同様の理由により、上記各引用例に記載の発明から容易になし得たものとすることはできない。　　　　　　　　　　　　　　　
　　　　　　　　　　　　　　　　　　　　　　　　
第４　【むすび】
　以上のとおりであるから、本願の請求項１ないし６に係る発明が上記各引用例に記載された発明に基づいて当業者が容易に発明をすることができたという原査定の理由によっては本願を拒絶することはできない。
　また、他に本願を拒絶すべき理由を発見しない。
　よって、結論のとおり審決する。